(57)【特許請求の範囲】
【請求項１】
運転者の操作によらず車両が自ら走行する自動運転を支援する自動運転支援装置において、
自動運転時の操舵輪に連動してステアリングホイールも回動する連動式であり、
ステアリングホイールの奥側において物体の有無を検出可能な物体検出部と、
前記ステアリングホイールの回動時、当該ステアリングホイールにかかる反力を検出する反力検出部から検出信号を取得する反力取得部と、
操舵輪の自動操舵時、前記物体検出部が物体を検出しつつ、前記ステアリングホイールの動きが阻害されたことを前記反力検出部の出力に基づき検出すると、前記ステアリングホイール及び操舵輪の連動を切り離し、前記ステアリングホイールの回動を停止するとともに、前記操舵輪の自動操舵を継続させる作動制御部とを備えたことを特徴とする自動運転支援装置。
【請求項２】
前記物体検出部は、ステアリングホイール及びインストルメントパネルの間において物体の有無を検出する
請求項１に記載の自動運転支援装置。
【請求項３】
前記ステアリングホイール及び操舵輪の連結機構は、ステアリングホイールの操作量を電気的に操舵輪側に伝えて、当該操舵輪の操舵角を切り替えるステアリングバイワイヤ方式である
請求項１又は２に記載の自動運転支援装置。
【請求項４】
前記物体検出部が物体を検出したとき、その旨を車内の報知部を通じて警告する警告実行部を備える
請求項１〜３のうちいずれか一項に記載の自動運転支援装置。
【請求項５】
前記作動制御部は、前記ステアリングホイール及び操舵論の切り離し後、前記物体検出部が物体を検出しなくなったことを確認すると、前記ステアリングホイールの操舵角と前記操舵輪の操舵角とを一致させて、これらが連動する状態に戻す
請求項１〜４のうちいずれか一項に記載の自動運転支援装置。
【発明の詳細な説明】
【技術分野】
【０００１】
本発明は、車両の自動運転を支援する自動運転支援装置に関する。
【背景技術】
【０００２】
従来、車両の自動運転を支援する自動運転支援装置が周知である（特許文献１等参照）。車両に自動運転の機能が搭載されていれば、車両を自動運転モードに切り替えて自動運転で走行することにより、運転者の負荷を減らすことが可能となる。
【先行技術文献】
【特許文献】
【０００３】
【特許文献１】特開２０１４−４６７４８号公報
【発明の概要】
【発明が解決しようとする課題】
【０００４】
ところで、自動運転のとき、操舵輪が操舵されると、それに応じてステアリングホイールも自動で回動する。このとき、仮にステアリングホイールに操舵方向に対して逆方向の反力がかかると、ステアリングホイールの動きが阻害されるので、操舵輪が操舵されなくなってしまい、自動運転を継続することができない可能性があった。
【０００５】
本発明の目的は、自動運転時にステアリングホイールに操舵と反対方向の負荷がかかっても、自動運転を継続させることができる自動運転支援装置を提供することにある。
【課題を解決するための手段】
【０００６】
前記問題点を解決する自動運転支援装置は、運転者の操作によらず車両が自ら走行する自動運転を支援する構成において、ステアリングホイールの奥側において物体の有無を検出可能な物体検出部と、前記ステアリングホイールの回動時、当該ステアリングホイールにかかる反力を検出する反力検出部から検出信号を取得する反力取得部と、操舵輪の自動操舵時、前記物体検出部が物体を検出しつつ、前記ステアリングホイールの動きが阻害されたことを前記反力検出部の出力に基づき検出すると、前記ステアリングホイール及び操舵輪の連動を切り離し、前記自動運転を継続させる作動制御部とを備えた。
【０００７】
本構成によれば、自動運転時、ステアリングホイールの奥側において物体検出部が物体を検出し、ステアリングホイールに操舵と反対方向の反力がかかったとき、ステアリングホイールと操舵輪との連動を切り離す。これにより、ステアリングホイールの位置によらず操舵輪を自由に操舵方向に作動させることが可能となるので、ステアリングホイールが干渉を受けて操舵方向に動かない状態となっていても、自動運転に準じた操舵を継続することが可能となる。よって、自動運転時にステアリングホイールに操舵と反対方向の負荷がかかっても、自動運転を継続させることが可能となる。
【０００８】
前記自動運転支援装置において、前記物体検出部は、ステアリングホイール及びインストルメントパネルの間において物体の有無を検出することが好ましい。この構成によれば、ステアリングホイール及びインストルメントパネルの間を物体検出部の検出領域とするので、ステアリングホイールの操作が干渉されてしまう状況を、より正しく監視するのに有利となる。
【０００９】
前記自動運転支援装置において、前記ステアリングホイール及び操舵輪の連結機構は、ステアリングホイールの操作量を電気的に操舵輪側に伝えて、当該操舵輪の操舵角を切り替えるステアリングバイワイヤ方式であることが好ましい。この構成によれば、ステアリングホイールと操舵輪とが電気的な構成によって接続されているので、ステアリングホイールと操舵輪との連動を切り離すにあたり、これを容易に実現することが可能となる。
【００１０】
前記自動運転支援装置において、前記物体検出部が物体を検出したとき、その旨を車内の報知部を通じて警告する警告実行部を備えることが好ましい。この構成によれば、物体検出部の検出領域に物体が存在することを、ユーザは直ぐに知ることが可能となる。
【００１１】
前記自動運転支援装置において、前記作動制御部は、前記ステアリングホイール及び操舵論の切り離し後、前記物体検出部が物体を検出しなくなったことを確認すると、前記ステアリングホイールの操舵角と前記操舵輪の操舵角とを一致させて、これらが連動する状態に戻すことが好ましい。この構成によれば、ステアリングホイールと操舵輪とを切り離して、これらの角度が不一致となっても、物体検出部が物体を検出しなくなったことをもって、これら角度を元通りに一致させることが可能となる。
【発明の効果】
【００１２】
本発明によれば、自動運転時にステアリングホイールに操舵と反対方向の負荷がかかっても、自動運転を継続させることができる。
【図面の簡単な説明】
【００１３】
【図１】一実施形態の自動運転支援装置の構成図。
【図２】運転席周りの構成図。
【図３】物体検出部の検出概要を示す概略図。
【図４】ステアリングホイールに操舵と反対方向のトルクがかかった状態を示す説明図。
【発明を実施するための形態】
【００１４】
以下、自動運転支援装置の一実施形態を図１〜図４に従って説明する。
図１に示すように、車両１は、車両１の速度（車速）を検出する車速センサ２と、アクセルペダルの踏込み量を検出するアクセル踏込量センサ３と、ブレーキペダルの踏込み量を検出するブレーキ踏込量センサ４とを備える。車両１は、エンジン５への吸気の流入量を制御するスロットルバルブ６と、車両１のシフト位置を切り替える自動変速機７と、ステアリングホイール８の操作時に操舵操作のアシスト力を付与するパワーステアリング装置９と、車両１に制動を加えるブレーキ装置１０とを備える。
【００１５】
ステアリングホイール８及び操舵輪１３の連結機構（パワーステアリング装置９）は、ステアリングホイール８の操作量を電気的に操舵輪１３側に伝えて、操舵輪１３の操舵角を切り替えるステアリングバイワイヤ方式である。パワーステアリング装置９は、パワーステアリング装置９の作動を制御する操舵制御部１４と、ステアリングホイール８の操作量（操舵角）を検出する操舵量センサ（ステアリングセンサ）１５と、操舵輪１３を操舵させるときの駆動源となるステアリングモータ１６と、操舵輪１３にかかる反力を検出する反力センサ１７と、操舵輪１３に付与された反力に応じた負荷をステアリングホイール８に付与する操作反力アクチュエータ１８とを備える。
【００１６】
パワーステアリング装置９は、ステアリングホイール８の操作量を操舵量センサ１５で検出し、その操作量に基づきステアリングモータ１６を制御することにより、操舵輪１３の操舵角を設定する。また、パワーステアリング装置９は、操舵輪１３の操舵時、操舵輪１３にかかる路面からの反力を反力センサ１７によって検出し、その検出量に応じて操作反力アクチュエータ１８を制御することにより、操舵輪１３にかかる荷重をステアリングホイール８に発生させる。なお、図中のクラッチ１９は、システム異常時にステアリングホイール８と操舵輪１３とを機械的に結合するバックアップ用である。
【００１７】
車両１は、車両１の自動運転を支援する自動運転支援装置２２を備える。自動運転は、例えば運転者の操作によらず車両１が自ら走行する状態をいう。自動運転時は、例えばＡＣＣ（Adaptive Cruise Control）等によって予め設定した速度で走行することが好ましい。
【００１８】
自動運転支援装置２２は、自動運転の作動を制御するコントローラ２３と、レーダ波によって車両周囲に存在する物体を検出可能なレーダ２４と、車両周囲を撮影可能なカメラ２５とを備える。レーダ２４は、例えばミリ波レーダであることが好ましい。コントローラ２３は、車両１において自動運転モードがセットされたとき、車速センサ２、アクセル踏込量センサ３、ブレーキ踏込量センサ４、操舵量センサ１５、レーダ２４及びカメラ２５からの出力を基に、スロットルバルブ６、自動変速機７、ブレーキ装置１０及びパワーステアリング装置９を制御することにより、車両１の自動運転を実行する。
【００１９】
本例の自動運転は、自動運転時に操舵輪１３が操舵されるとき、操舵輪１３に連動してステアリングホイール８も回動する連動式となっている。これにより、自動運転において操舵輪１３が操舵されるときには、運転者がステアリングホイール８に触れていなくても、ステアリングホイール８が操舵輪１３の操舵に応じて自動で回動する。
【００２０】
図２に示すように、車両１のインストルメントパネル２７には、物品を収納可能な収納部２８が設けられている。収納部２８は、運転席においてステアリングホイール８の奥側に配置され、上部（運転席側を含む）が開口する形状に形成されている。
【００２１】
図１に戻り、自動運転支援装置２２は、自動運転時にステアリングホイール８の動きが阻害されるような状態となっても自動運転を継続させる機能（自動運転継続機能）を備える。ところで、本例の場合、自動運転時のステアリングホイール８は、操舵輪１３に連動して回る構造をとっている。このため、自動運転時に仮にステアリングホイール８の動きが阻害されてしまうと、操舵輪１３を操舵させることができず、結果、自動運転を継続することができなくなってしまうので、そのための対処策である。
【００２２】
自動運転支援装置２２は、ステアリングホイール８の奥側において物体の有無を検出可能な物体検出部３１を備える。物体検出部３１は、ステアリングホイール８及びインストルメントパネル２７の間において物体の有無を検出する。物体検出部３１は、操舵制御部１４に電気接続されており、物体の検出有無に応じた検出信号Ｓａを操舵制御部１４に出力する。物体検出部３１は、例えばステアリングホイール８の輪の隙間を通って車体前方に飛び出す運転者の手や腕等を検出する。
【００２３】
自動運転支援装置２２は、物体検出部３１が物体を検出したときに、その旨を車内の報知部３２を通じて警告する警告実行部３３を備える。警告実行部３３は、操舵制御部１４に設けられている。報知部３２は、例えば車内のブザーやスピーカ、又はカーナビゲーションシステムのディスプレイなどであることが好ましい。報知部３２による警告は、例えば聴覚的報知や視覚的報知などがある。
【００２４】
自動運転支援装置２２は、ステアリングホイール８の回動時、ステアリングホイール８にかかる反力を検出する反力検出部３４から検出信号Ｓｂを取得する反力取得部３５を備える。反力取得部３５は、操舵制御部１４に設けられている。反力取得部３５は、自動運転時、反力検出部３４から出力される検出信号Ｓｂを取得する。本例の反力検出部３４は、例えば操舵量センサ（ステアリングセンサ）１５であることが好ましい。
【００２５】
自動運転支援装置２２は、自動運転継続機能の作動を制御する作動制御部３６を備える。作動制御部３６は、操舵制御部１４に設けられることが好ましい。作動制御部３６は、操舵輪１３の自動操舵時、物体検出部３１が物体を検出しつつ、ステアリングホイール８の動きが阻害されたことを反力検出部３４の出力（検出信号Ｓｂ）に基づき検出すると、ステアリングホイール８及び操舵輪１３の連動を切り離し、自動運転を継続させる。
【００２６】
次に、図３及び図４を用いて、自動運転支援装置２２の作用及び効果を説明する。
図３に示すように、物体検出部３１は、ステアリングホイール８のコラム部３９の上面に配置されることにより、ステアリングホイール８及びインストルメントパネル２７の間を検出領域Ｅとして、物体有無を検出する。そして、物体検出部３１は、自動運転走行時、コラム部３９の周囲における物体の有無を監視する。物体検出部３１は、例えば超音波センサ、反射型光センサ、透過型光センサ、焦電センサ、カメラなど、種々のセンサや機器が採用可能である。また、物体検出部３１は、コラム部３９に配置されることに限らず、例えば車内天井など、他の配置位置に変更可能である。
【００２７】
図４に示すように、自動運転中にステアリングホイール８のスポークの隙間から奥に手が差し込まれ、挿し込まれた手でステアリングホイール８の操舵方向（同図の矢印Ａ方向）の動きが阻害され、ステアリングホイール８に対し、操舵方向とは逆方向（同図の矢印Ｂ方向）に一定値以上の負荷（トルク）がかかったとする。これは、例えば自動運転中、運転者がステアリングホイール８のスポークの隙間から手を挿し込んで、ステアリングホイール８の奥にある収納部２８から物品を取ろうとしたときに起こり得るシーンである。
【００２８】
このとき、作動制御部３６は、操作反力アクチュエータ１８の動作を停止させ、ステアリングホイール８の回動を止める。すなわち、作動制御部３６は、ステアリングホイール８の回動を停止するとともに、操舵量センサ１５からの入力情報（検出信号Ｓｂ）を無視して、自動運転時の処理結果に合わせて操舵輪１３を操舵させる。このようにして、作動制御部３６は、ステアリングホイール８及び操舵輪１３の連動を切り離し、操舵輪１３の自動作動を継続させる。これにより、自動運転時にステアリングホイール８の動きが阻害されても、自動運転を継続することが可能となる。
【００２９】
ところで、ステアリングバイワイヤでは、基本的に、ステアリングホイール８の操舵角と、操舵輪１３の操舵角とが一致しているが、ステアリングホイール８の動きと操舵輪１３の動きとは、電気的に回転量を伝えることで連動している。よって、ステアリングホイール８の回転を止めてステアリングホイール８及び操舵輪１３の動きが一致しなくなっても、このときはステアリングホイール８によらない操舵輪１３の制御をコントローラ２３で行うようにすれば、何ら問題はない。
【００３０】
また、作動制御部３６は、ステアリングホイール８及び操舵輪１３の切り離し後、物体検出部３１が物体を検出しなくなったことを確認すると、ステアリングホイール８の操舵角と操舵輪１３の操舵角とを一致させて、これらが連動する状態に戻す。すなわち、作動制御部３６は、操作反力アクチュエータ１８によってステアリングホイール８の操舵角を操舵輪１３の操舵角に瞬時に合わせ込み、両者が連動する自動運転に復帰させる。これにより、通常の自動運転に戻して、処理を継続することが可能となる。
【００３１】
さて、本例の場合、自動運転時、ステアリングホイール８の奥側において物体検出部３１が物体を検出し、ステアリングホイール８に操舵と反対方向の反力がかかったとき、ステアリングホイール８と操舵輪１３との連動を切り離す。これにより、ステアリングホイール８の位置によらず操舵輪１３を自由に操舵方向に作動させることが可能となるので、ステアリングホイール８が干渉を受けて操舵方向に動かない状態となっていても、自動運転に準じた操舵を継続することが可能となる。よって、自動運転時にステアリングホイール８に操舵と反対方向の負荷がかかっても、自動運転を継続することができる。
【００３２】
物体検出部３１は、ステアリングホイール８及びインストルメントパネル２７の間において物体の有無を検出する。よって、ステアリングホイール８及びインストルメントパネル２７の間を物体検出部３１の検出領域Ｅとするので、ステアリングホイール８の操作が干渉されてしまう状況を、より正しく監視するのに有利となる。
【００３３】
ステアリングホイール８及び操舵輪１３の連結機構、すなわちパワーステアリング装置９は、電気的に操舵輪１３の操舵角を制御するステアリングバイワイヤ方式である。よって、ステアリングホイール８と操舵輪１３との連動を切り離すにあたり、これを容易に実現することができる。
【００３４】
自動運転支援装置２２は、物体検出部３１が物体を検出した旨を報知部３２により警告する警告実行部３３を備えた。よって、物体検出部３１の検出領域Ｅに物体が存在することを、ユーザは直ぐに知ることができる。
【００３５】
作動制御部３６は、ステアリングホイール８及び操舵輪１３の切り離し後、物体検出部３１が物体を検出しなくなったことを確認すると、ステアリングホイール８の操舵角と操舵輪１３の操舵角とを一致させて、これらが連動する状態に戻す。よって、自動運転継続のためにステアリングホイール８と操舵輪１３とを切り離して、これら角度が不一致となっても、物体検出部３１が物体を検出しなくなったことをもって、これら角度を元通りに一致させることができる。
【００３６】
なお、実施形態はこれまでに述べた構成に限らず、以下の態様に変更してもよい。
・本例の自動運転継続機能は、例えば車両１をバック走行させて駐車スペースに自動駐車させる作動のときに実施してもよい。こうすれば、自動駐車が途中でキャンセルされることがなく、ユーザにとっては都合がよい。
【００３７】
・本例の自動運転継続機能は、例えばステアリングホイール８を規定量以上回動操作したときのみ有効とするようにしてもよい。この場合、ステアリングホイール８を大きく回動操作したときのみ自動運転継続機能が効くので、自動運転継続機能を効率よく作動させることができる。
【００３８】
・物体検出部３１の検出領域Ｅは、コラム部３９から上方の領域に限定されない。例えば、コラム部３９の上方及び下方を含む周囲を検出領域として、広範囲において物体を検出可能としてもよい。
【００３９】
・ステアリングホイール８にかかる反力は、例えば操作反力アクチュエータ１８にかかるトルクから検出してもよい。
・反力検出部３４は、ステアリングセンサに限定されず、ステアリングホイール８にかかる負荷（トルク）を検出できる機器やセンサであればよい。
【００４０】
・ステアリング装置は、ステアリングバイワイヤ方式に限定されず、ステアリングホイール８及び操舵輪１３が機械的に連結された機械式としてもよい。
・パワーステアリング装置９は、クラッチ１９が省略された構成でもよい。また、パワーステアリング装置９は、システム異常時にバックアップを電気的に行う方式でもよい。
【００４１】
・車両１は、エンジン車に限らず、ハイブリッド車、プラグインハイブリッド車、電気自動車、燃料電池車のいずれでもよい。
【符号の説明】
【００４２】
１…車両、８…ステアリングホイール、１３…操舵輪、１５…反力検出部の一例であるステアリングセンサ、２２…自動運転支援装置、２７…インストルメントパネル、３１…物体検出部、３２…報知部、３３…警告実行部、３４…反力検出部、３５…反力取得部、３６…作動制御部、Ｓａ，Ｓｂ…検出信号。
【図１】
0006650327.tif 000002
【図２】
0006650327.tif 000003
【図３】
0006650327.tif 000004
【図４】
0006650327.tif 000005